(57)【要約】【課題】通帳プリンタ等の調整値、設定値の再設定の負担を軽減する。【解決手段】磁気ストライプを設けた通帳に対して印字を行う通帳プリンタ１であって、通帳プリンタ１は、通帳に設けた磁気ストライプに対して情報の読み出しまたは書き込みを実行する磁気ヘッド４１と、通帳プリンタ１の動作を制御する動作制御情報が記憶された不揮発性メモリと、通帳に情報の読み出しまたは書き込みを実行する位置に配置される待避用磁気記録媒体に対して、不揮発性メモリに記憶された動作制御情報を磁気ヘッドを介して書き込むことを指示する制御部とを備える。【選択図】図１
2011046205.tif 000002
【特許請求の範囲】
【請求項１】
帯状磁気記録層を設けた通帳に対して印字を行う通帳プリンタであって、
前記通帳に設けた帯状磁気記録層に対して情報の読み出しまたは書き込みを実行する磁気ヘッドと、
前記通帳プリンタの動作を制御する動作制御情報が記憶されたメモリと、
前記通帳に前記情報の読み出しまたは書き込みを実行する位置に配置される待避用磁気記録媒体に対して、前記メモリに記憶された動作制御情報を前記磁気ヘッドを介して書き込むことを指示する制御部とを備えたことを特徴とする通帳プリンタ。
【請求項２】
前記制御部は、前記メモリに記憶された前記動作制御情報が初期設定から変更されているか否かを判断し、変更されている場合に、前記メモリに記憶された動作制御情報を前記待避用磁気記録媒体に書き込むことを指示することを特徴とする請求項１に記載の通帳プリンタ。
【請求項３】
情報記憶部を有する被印刷物の所定箇所に所定事項を印刷するプリンタであって、
前記プリンタの動作に関する制御情報を記憶するメモリと、
前記被印刷物の前記情報記憶部に対して情報の読み出しまたは書き込みを実行する読み・書きユニットと、
前記被印刷物に対して前記情報の読み出しまたは書き込みを実行する位置に配置される待避用外部記憶媒体に対して、前記メモリに記憶された前記制御情報を前記読み・書きユニットを介して書き込むことを指示する制御情報書き込み指示手段と、
前記メモリが当該メモリとは異なる交換メモリに交換され、前記制御情報を記憶した前記待避用外部記憶媒体が前記位置に配置されると、前記読み・書きユニットを介して当該制御情報を読み出すとともに、読み出した当該制御情報を当該交換メモリに記憶することを指示する制御情報読み出し指示手段とを備えたことを特徴とするプリンタ。
【請求項４】
情報記憶部を有する情報記憶媒体に対して情報の読み出しまたは書き込みを行う情報処理装置であって、
前記情報処理装置の動作に関する制御情報を記憶するメモリと、
前記情報記憶媒体の前記情報記憶部に対して情報の読み出しまたは書き込みを実行する読み・書きユニットと、
前記情報記憶媒体に前記情報の読み出しまたは書き込みを実行する位置に配置される待避用情報記憶媒体に対して、前記メモリに記憶された前記制御情報を前記読み・書きユニットを介して書き込むことを指示する制御情報書き込み指示手段と、
前記メモリが当該メモリとは異なる交換メモリに交換され、前記制御情報を記憶した前記待避用情報記憶媒体が前記位置に配置されると、前記読み・書きユニットを介して前記制御情報を読み出すとともに、前記交換メモリに記憶することを指示する制御情報読み取り指示手段とを備えたことを特徴とする情報処理装置。
【請求項５】
プリンタの動作を制御するプリンタ動作制御情報を記憶したメモリと、通帳に設けてある情報記憶媒体に対して情報の読み出しまたは書き込みを行う読み・書きユニットとを備えた通帳プリンタの保守方法であって、
前記メモリを交換して新たなメモリを設置するメモリ設置ステップと、
前記通帳に対して前記情報の読み出しまたは書き込みを実行する位置に、前記プリンタ動作制御情報を記憶した外部情報記憶媒体を配置するステップと、
前記外部情報記憶媒体から前記プリンタ動作制御情報を読み出して前記新たなメモリに記憶するか否かを判断する判断ステップと、
前記判断ステップにおいて、前記新たなメモリに記憶すると判断された場合に、前記プリンタ動作制御情報が記憶された外部情報記憶媒体から前記読み・書きユニットを介して前記プリンタ動作制御情報を読み出すとともに、読み出した前記プリンタ動作制御情報を前記新たなメモリに記憶させるプリンタ動作制御情報記憶ステップとを備えたことを特徴とする通帳プリンタの保守方法。
【請求項６】
前記メモリ設置ステップの前に、前記プリンタ動作制御情報が当初のプリンタ動作制御情報から変更されているか否かを確認するプリンタ動作制御情報確認ステップを備えたことを特徴とする請求項５に記載の通帳プリンタの保守方法。
【請求項７】
前記プリンタ動作制御情報確認ステップにより前記プリンタ動作制御情報が当初の情報から変更されていないことが確認された場合に、前記プリンタ動作制御情報記憶ステップは、前記当初のプリンタ動作制御情報を予め記憶している外部情報記憶媒体から当該プリンタ動作制御情報を読み出すことを特徴とする請求項６に記載の通帳プリンタの保守方法。
【請求項８】
前記プリンタ動作制御情報確認ステップにより前記プリンタ動作制御情報が当初の情報から変更されていることが確認された場合に、前記プリンタ動作制御情報確認ステップの後に、前記メモリに記憶されている前記プリンタ動作制御情報を外部情報記憶媒体に書き込むプリンタ動作制御情報書き込みステップを実行し、
前記プリンタ動作制御情報記憶ステップでは前記プリンタ動作制御情報書き込みステップでプリンタ動作制御情報が書き込まれた前記外部情報記憶媒体から前記プリンタ動作制御情報を読み出すことを特徴とする請求項６に記載の通帳プリンタの保守方法。
【請求項９】
情報処理装置の動作を制御する制御基板と、情報記憶媒体に対して情報の読み書きを行う読み・書きユニットとを備えた情報処理装置の保守方法であって、
前記情報記憶媒体に前記情報の読み書きを行う位置に配置される外部情報記憶媒体に対して、前記制御基板上に記憶されている動作制御情報を前記読み・書きユニットを介して書き込む情報処理装置動作制御情報書き込みステップと、
前記制御基板を交換して新たな制御基板を設置する制御基板設置ステップと、
前記外部情報記憶媒体に書き込んだ前記情報処理装置動作制御情報を、前記位置に配置される当該外部情報記憶媒体から前記読み・書きユニットを介して読み出すとともに、読み出した前記情報処理装置動作制御情報を前記新たな制御基板上に記憶する情報処理装置動作制御情報記憶ステップとを備えたことを特徴とする情報処理装置の保守方法。
【発明の詳細な説明】
【技術分野】
【０００１】
本発明は通帳プリンタに関し、特に金融機関向けの通帳プリンタおよびその保守方法に関するものである。
【背景技術】
【０００２】
金融機関で預貯金通帳（本願明細書中では、単に通帳という）に残高等の情報をプリントする通帳プリンタに通帳を挿入すると、一般的に以下のように動作する。
１）通帳の裏面に貼られている磁気記録媒体としての磁気ストライプに書き込まれているユーザ・アカウント情報を、磁気ストライプ読み・書きユニットが読みとる。
２）読みとった結果をホスト・コンピュータに転送する。
３）ホストから転送されるプリント・コマンドに応じて通帳の所定箇所にプリントする。
４）磁気ストライプ上のデータを前記読み・書きユニットを介して更新してから、通帳を排出する。
ところで、プリンタの機構調整値や通信速度設定値など個々のプリンタ毎に設定しなければならない調整値、設定値がある。通常、プリンタの印字動作を制御する制御基板に搭載された不揮発性メモリ（ＮＶＲＡＭ）に調整値、設定値を記憶させた後にプリンタを出荷する。金融機関に設置された通帳プリンタは、不揮発性メモリに記憶された調整値、設定値に基づき印字動作を実行する。
【先行技術文献】
【特許文献】
【０００３】
【特許文献１】特開平９−６６２２号公報
【発明の概要】
【発明が解決しようとする課題】
【０００４】
不揮発性メモリを搭載した制御基板が故障して新たな制御基板と交換することがある。従来、制御基板を交換する際には、調整値をはじめから設定し直して新たな制御基板に搭載された不揮発性メモリに記憶させるという作業を行っていた。この調整値設定作業は、制御基板交換作業のなかでもかなりの時間を占めていた。
そこで本発明は、通帳プリンタの調整値、設定値の再入力の負担を軽減することのできる通帳プリンタおよび通帳プリンタの保守方法の提供を課題とする。
【課題を解決するための手段】
【０００５】
本発明者は、前記課題を解決するために検討を行った結果、通帳プリンタに設けてある読み・書きユニットを利用することを着想した。つまり、前述のように、通帳プリンタは通帳に貼りつけられた磁気ストライプに対してデータの読み出し、書き込みを行うユニットを備えている。そこで、制御基板を交換する際に、メモリに記憶されている通帳プリンタの調整値、設定値（本願明細書中では、両者を含めた概念として動作制御情報という表現を用いる）を読み・書きユニットを用いて別途準備された磁気ストライプに書き込む。そして、制御基板交換後に当該磁気ストライプに書き込んだ前記動作制御情報を前記読み・書きユニットを用いて読み出すとともに、交換された新たな制御基板のメモリに記憶させる。
【０００６】
本発明は、帯状磁気記録層を設けた通帳に対して印字を行う通帳プリンタであって、前記通帳に設けた帯状磁気記録層に対して情報の読み出しまたは書き込みを実行する磁気ヘッドと、前記通帳プリンタの動作を制御する動作制御情報が記憶されたメモリと、前記通帳に前記情報の読み出しまたは書き込みを実行する位置に配置される待避用磁気記録媒体に対して、前記メモリに記憶された動作制御情報を前記磁気ヘッドを介して書き込むことを指示する制御部とを備えたことを特徴とする通帳プリンタが提供される。
この通帳プリンタによれば、制御基板交換前にメモリに記憶されている動作制御情報を外部から提供される磁気記録媒体である待避用磁気記録媒体に書き込むことができる。したがって、制御基板交換後にこの待避用磁気記録媒体を用いて新たな交換メモリに動作制御情報を記憶させることが可能となる。
本発明通帳プリンタにおいて、前記制御部は、前記メモリに記憶された前記動作制御情報が初期設定から変更されているか否かを判断し、変更されている場合に、前記メモリに記憶された動作制御情報を外部から提供される待避用磁気記録媒体に書き込むことを指示することが望ましい。
【０００７】
以上の本発明通帳プリンタは磁気記録方式を前提とするものであるが、本発明は記録方式に限定されない。印刷される媒体である被印刷物に設けてあるデータ記録媒体からプリンタが当該データを読み出し、又は書き込みするユニットを備えていれば本発明を適用することができる。そして、その読み・書きユニットを利用して当該プリンタの動作に関する制御情報をプリンタ外部の情報記憶媒体から読み出したり、または書き込むことが本発明の要旨となる。
したがって本発明では、情報記憶部を有する被印刷物の所定箇所に所定事項を印刷するプリンタであって、前記プリンタの動作に関する制御情報を記憶するメモリと、前記被印刷物の前記情報記憶部に対して情報の読み出しまたは書き込みを実行する読み・書きユニットと、前記被印刷物に対して前記情報の読み出しまたは書き込みを実行する位置に配置される待避用外部記憶媒体に対して、前記メモリに記憶された前記制御情報を前記読み・書きユニットを介して書き込むことを指示する制御情報書き込み指示手段と、前記メモリが当該メモリとは異なる交換メモリに交換され、前記制御情報を記憶した前記待避用外部記憶媒体が前記位置に配置されると、前記読み・書きユニットを介して当該制御情報を読み出すとともに、読み出した当該制御情報を当該交換メモリに記憶することを指示する制御情報読み出し指示手段とを備えたことを特徴とするプリンタが提供される。
【０００８】
また本発明は、プリンタに限らず他の情報処理装置に適用することもできる。つまり本発明は、情報記憶部を有する情報記憶媒体に対して情報の読み出しまたは書き込みを行う情報処理装置であって、前記情報処理装置の動作に関する制御情報を記憶するメモリと、前記情報記憶媒体の前記情報記憶部に対して情報の読み出しまたは書き込みを実行する読み・書きユニットと、前記情報記憶媒体に前記情報の読み出しまたは書き込みを実行する位置に配置される待避用情報記憶媒体に対して、前記メモリに記憶された前記制御情報を前記読み・書きユニットを介して書き込むことを指示する制御情報書き込み指示手段と、前記メモリが当該メモリとは異なる交換メモリに交換され、前記制御情報を記憶した前記待避用情報記憶媒体が前記位置に配置されると、前記読み・書きユニットを介して前記制御情報を読み出すとともに、前記交換メモリに記憶することを指示する制御情報読み取り指示手段とを備えたことを特徴とする情報処理装置として実現することができる。例えば、ＰＯＳ等の情報処理装置に適用する場合は、制御情報をバーコードとして印刷し、バーコードリーダーで読み込むこともできるし、ＯＣＲ装置に適用する場合には、制御情報を文字や記号として待避用シートに印刷し、それをＯＣＲで読み込むこともできる。また、磁気カード、ＩＣカード処理装置に適用する場合には、待避用カードに制御情報を書き込むこともできる。
【０００９】
ところで、動作制御情報は通帳プリンタの製造メーカが通帳プリンタ出荷時に各々の通帳プリンタ毎に設定する。したがって、通帳プリンタ出荷時に動作制御情報を前述した外部情報記憶媒体の磁気ストライプに記憶することができる。この外部情報記憶媒体を当該通帳プリンタとの対応がわかるように保管しておく。そして、通帳プリンタの制御基板交換時にこの外部情報記憶媒体を用いて交換された新たな制御基板のメモリに対して動作制御情報を記憶させることができる。
したがって本発明では、プリンタの動作を制御するプリンタ動作制御情報を記憶したメモリと、通帳に設けてある情報記憶媒体に対して情報の読み出しまたは書き込みを行う読み・書きユニットとを備えた通帳プリンタの保守方法であって、前記メモリを交換して新たなメモリを設置するメモリ設置ステップと、前記通帳に対して前記情報の読み出しまたは書き込みを実行する位置に、前記プリンタ動作制御情報を記憶した外部情報記憶媒体を配置するステップと、前記外部情報記憶媒体から前記プリンタ動作制御情報を読み出して前記新たなメモリに記憶するか否かを判断する判断ステップと、前記判断ステップにおいて、前記新たなメモリに記憶すると判断された場合に、前記プリンタ動作制御情報が記憶された外部情報記憶媒体から前記読み・書きユニットを介して前記プリンタ動作制御情報を読み出すとともに、読み出した前記プリンタ動作制御情報を前記新たなメモリに記憶させるプリンタ動作制御情報記憶ステップとを備えたことを特徴とする通帳プリンタの保守方法が提供される。
【００１０】
通帳プリンタを金融機関に設置後に動作制御情報を当初の情報から変更することも想定される。そのような場合には、通帳プリンタ出荷時に設定された動作制御情報を用いることができないことになる。したがって上記本発明の通帳プリンタの保守方法においては、前記メモリ設置ステップの前に、前記プリンタ動作制御情報が当初のプリンタ動作制御情報から変更されているか否かを確認することが重要である。そして、前記プリンタ動作制御情報確認ステップにより前記プリンタ動作制御情報が当初の情報から変更されていないことが確認された場合に、前記プリンタ動作制御情報記憶ステップは、前記当初のプリンタ動作制御情報を予め記憶している外部情報記憶媒体から当該プリンタ動作制御情報を読み出すことにすればよい。一方、前記プリンタ動作制御情報確認ステップにより前記プリンタ動作制御情報が当初の情報から変更されていることが確認された場合に、前記プリンタ動作制御情報確認ステップの後に、前記メモリに記憶されている前記プリンタ動作制御情報を外部情報記憶媒体に書き込むプリンタ動作制御情報書き込みステップを実行し、前記プリンタ動作制御情報記憶ステップでは前記プリンタ動作制御情報書き込みステップでプリンタ動作制御情報が書き込まれた前記外部情報記憶媒体から前記プリンタ動作制御情報を読み出すことにすればよい。
【００１１】
前記プリンタ動作制御情報が当初の情報から変更されている場合の本発明情報処理装置の保守方法は、情報処理装置の動作を制御する制御基板と、情報記憶媒体に対して情報の読み書きを行う読み・書きユニットとを備えた情報処理装置の保守方法であって、前記情報記憶媒体に前記情報の読み書きを行う位置に配置される外部情報記憶媒体に対して、前記制御基板上に記憶されている動作制御情報を前記読み・書きユニットを介して書き込む情報処理装置動作制御情報書き込みステップと、前記制御基板を交換して新たな制御基板を設置する制御基板設置ステップと、前記外部情報記憶媒体に書き込んだ前記情報処理装置動作制御情報を、前記位置に配置される当該外部情報記憶媒体から前記読み・書きユニットを介して読み出すとともに、読み出した前記情報処理装置動作制御情報を前記新たな制御基板上に記憶する情報処理装置動作制御情報記憶ステップとを備えることになる。
【発明の効果】
【００１２】
本発明によれば通帳プリンタ等の調整値、設定値の再設定の負担を大幅に軽減することができる。
【図面の簡単な説明】
【００１３】
【図１】本実施の形態に係る通帳プリンタの概略構成図である。
【図２】本実施の形態に係る通帳プリンタの要部機能ブロック図である。
【図３】本実施の形態に係る通帳プリンタの調整値、設定値の１例を示す図である。
【図４】図３の調整値、設定値を１６進化したデータの例を示す図である。
【図５】本実施の形態に係る磁気ストライプ７２を貼りつけた調整値記憶カード７を示す図である。
【図６】本実施の形態に係る通帳プリンタの保守フローを示す図である。
【図７】本実施の形態に係る通帳プリンタの保守フローを示す図である。
【図８】本実施の形態に係る通帳プリンタの保守フローを示す図である。
【図９】本実施の形態に係る磁気ストライプ７２のフォーマットの例を示す図である。
【発明を実施するための形態】
【００１４】
以下本発明を実施の形態に基づき説明する。
図１は本実施の形態に係る通帳プリンタ１の概略構成を示す図である。
通帳プリンタ１は、主構成要素として、印字部としてのプリンタヘッド２、制御基板としてのコントロールカード３、磁気ヘッド４１を備えた磁気リード／ライトユニット４とを備えている。プリンタヘッド２および磁気リード／ライトユニット４は、駆動源により通帳プリンタ１の幅方向に往復動可能となっている。なお、図１は帯状の磁気記録層である磁気ストライプ５１をその裏面に貼り付けた通帳５が挿入された状態を示している。
図２にコントロールカード３および磁気リード／ライトユニット４の構成を示している。
コントロールカード３は、ＭＰＵ（Micro ProssesingUnit）３１、ＲＯＭ（Read Only Memory）３２、ＮＶＲＡＭ（Nonvoltaile Randam Access Memory）３３およびインターフェース３４を備えている。
ＲＯＭ３２は通帳プリンタ１の動作を制御する各種制御コードが格納されており、この制御コードをＭＰＵ３１が解釈実行する。
ＮＶＲＡＭ３３は、トップマージン、レフトマージン等の通帳プリンタ１の印字動作を制御するための調整値を記憶する。この調整値は、通帳プリンタ１を製造した段階で記憶されるが、その後金融機関に設置後に調整されて当初の値から変更されている場合がある。つまり、製造段階の初期値のままの場合もあるし、初期値から変更されている場合もある。また、通帳プリンタ１は通信速度、印字速度等の設定値を有しており、この設定値もＮＶＲＡＭ３３に記憶されており、やはり製造段階の初期値のままの場合もあるし、初期値から変更されている場合もある。なお、調整値および設定値の両者を含めて動作制御情報と呼ぶことがある。
【００１５】
磁気リード／ライトユニット４は、磁気ヘッド４１の他に、モータドライバ４２、モータ４３、リードアンプ４４およびエンコードドライバ４５を備えている。
磁気リード／ライトユニット４におけるデータの書き込み、読み出し時の動作は以下の通りである。書き込み時、インターフェース３４を介して転送されたデータはエンコードドライバ４５に送られ、磁気ヘッド４１ではこのエンコードドライバ４５により所定の書き込み電流が生ずる。同時に、モータドライバ４２で駆動されるモータ４３の動きに応じて磁気ヘッド４１は通帳５の磁気ストライプ５１上を走行することにより、前記転送されたデータが磁気ストライプ５１に書き込まれる。読み出し時、モータドライバ４２で駆動されるモータ４３の動きに応じて磁気ヘッド４１は通帳５の磁気ストライプ５１上を走行する。その過程で生ずる磁気ヘッド４１の電流変化をリードアンプ４４が検知するとともに、インターフェース３４に転送する。
図２の符号６は操作パネルを示す。通帳プリンタ１の種々の動作に関するコマンドは２桁の数字で表すこととしており、この操作パネル６により２桁の数字を入力することにより各コマンドを実行させることができる。また操作パネル６は、表示手段としての機能も備えており、通帳プリンタ１の動作モード等を２桁の数字で表示することができる。
【００１６】
一般的な通帳プリンタ１の動作は、以下の通りである。
１）磁気ストライプ５１が貼り付けられた通帳５が挿入されると、磁気ストライプ５１に書き込まれている自他識別情報であるユーザアカウントデータを磁気リード／ライトユニット４の磁気ヘッド４１が読み出す。
２）読み出した情報をホストコンピュータ（図示せず）に伝える。
３）その結果ホストから出される印字コマンドにしたがって、通帳の所定箇所に所定の事項を印字する。
４）通帳５の磁気ストライプ５１のデータを磁気リード／ライトユニット４の磁気ヘッド４１を介して更新してから通帳５を排出する。
【００１７】
以上の通帳プリンタ１において、コントロールカード３が故障した場合には、コントロールカード３が交換される。したがって、通帳プリンタ１の調整値、設定値を記憶しているＮＶＲＡＭ３３も交換されて交換メモリとなる。コントロールカード３が交換された後に交換前と同様の印字動作を得るためには、交換された新たなＮＶＲＡＭ３３に交換前のＮＶＲＡＭ３３に記憶されていた調整値、設定値を記憶させる作業が必要となる。
【００１８】
図３に各種調整値、設定値の１例を示している。図３において、Printer ID〜MICROCODEが設定値であり、ADJUST VALUEが調整値である。設定値には、前述したＩＤ（Printer ID）、オプション機構のオン／オフ（SETUP）、通信タイプ（COMMUNICATION）、通信速度（BAUD RATE）、印字速度（PRINT SPEED）が含まれている。また、調整値としては、トップマージン（TOP MARGIN）、レフトマージン（LEFT MARGIN）が含まれている。
【００１９】
本実施の形態は、以上のような調整値、設定値を、通帳プリンタ１が備えているコントロールカード３の交換前に予め磁気リード／ライトユニット４の磁気ヘッド４１を利用して、別途用意された磁気ストライプに書き込んでおく。そして、コントロールカード３が交換された後に、前記磁気ストライプから磁気リード／ライトユニット４の磁気ヘッド４１を利用して調整値、設定値を読み出すとともに新たなＮＶＲＡＭ３３に記憶させようというものである。
この別途用意された磁気ストライプは、帳票の表面に貼り付けた形態とすることもできるし、保守作業のために通常用意される調整用の通帳に貼り付けた形態とすることができる。つまり、磁気ストライプを備えた帳票、または磁気ストライプを備えた調整用通帳を外部からの磁気記録媒体とし、この磁気記録媒体に通帳プリンタ１の調整値、設定値を記憶しておく。
【００２０】
図３に示した調整値、設定値を１６進コードで図４に示すように表現することができる。そして、５〜６バイト目の'９６ ００'を通信速度（BAUD RATE）、２６バイト目の'０１'をトップマージン（TOP MARGIN）を表すというように、予めフォーマットを決めておく。
図５は保持体である所定の強度を有する帳票７１の表面に磁気ストライプ７２を貼りつけた調整値記憶カード７を示している。磁気ストライプ７２はＩＳＯ７８１１ Ｔｒａｃｋ２方式に準拠するものとすると、図４に示す１６進 １桁（４ビット）を１文字とし、各文字にパリティビットを付加して、図５の磁気ストライプ７２のＤＡＴＡ部に書き込むことができる。なお、磁気ストライプ７２のＳＹＮＣ、ＳＯＭ、ＥＯＭ、ＬＲＣはＩＳＯ ７８１１で規定されている制御コードである。
【００２１】
以上のフォーマットによるデータの書き込みは以下の通り行われる。まず、コントロールカード３のＭＰＵ３１はＮＶＲＡＭ３３に記憶されている調整値、設定値を読み出すとともに、以上のフォーマットにしたがった文字列に配置する。その後に、インターフェース３４を介してこの文字列情報を磁気リード／ライトユニット４のエンコードドライバ４５に転送する。磁気ヘッド４１ではこのエンコードドライバ４５により所定の書き込み電流が生ずる。磁気ヘッド４１はモータドライバ４２で駆動されるモータ４３の動きに応じて調整値記憶カード７の磁気ストライプ７２上を走行し、この際に書き込み電流にしたがって１６進化された調整値、設定値をＤＡＴＡ部に書き込む。また、待避用磁気記録媒体である調整値記憶カード７は、通帳５が通帳プリンタ１に受け入れられるのと同様に通帳プリンタ１に受け入れられる。つまり、調整値記憶カード７への調整値、設定値の書き込みは、通帳５に対して情報の読み出しまたは書き込みを実行する位置に調整値記憶カード７を配置した状態で行われる。
【００２２】
一方、調整値記憶カード７の磁気ストライプ７２に書き込まれている調整値、設定値に関するデータの読み出しは以下の通り行われる。ここで、磁気ストライプ７２のＤＡＴＡ部には、調整値、設定値が上記フォーマットにしたがった１６進化されたデータが書き込まれていることが前提となる。モータドライバ４２で駆動されるモータ４３の動きに応じて磁気ヘッド４１は調整値記憶カード７の磁気ストライプ７２上を走行する。その過程で生ずる磁気ヘッド４１の電流変化をリードアンプ４４が検知するとともに、インターフェース３４を介してコントロールカード３のＭＰＵ３１に転送される。ＭＰＵ３１は転送された１６進化データを解析し、それぞれの数値が何桁目に存在するものであるかを把握することにより、それぞれが何の調整値、設定値を意味するものであるか判断する。この判断後、ＭＰＵ３１はＮＶＲＡＭ３３の所定のアドレスに調整値、設定値に関するデータを記憶させる。
【００２３】
以上の磁気ストライプ７２への書き込み、磁気ストライプ７２からのデータの読み出しおよびＮＶＲＡＭ３３への記憶を行う前に、通帳プリンタ１をそれに対応したモードに設定しておく必要がある。それぞれのモードの制御コードは、コントロールカード３のＲＯＭ３２に格納しておく。つまり、磁気ストライプ７２への書き込み（以下、ダウンロードという）を行う場合のモード、磁気ストライプ７２からのデータの読み出しおよびＮＶＲＡＭ３３への記憶を行う（以下、アップロードという）場合のモードを実行するための制御コードをＲＯＭ３２に格納しておくとともに、いずれかのモードを選択するための手段を備える。
【００２４】
このモードの選択は、通帳プリンタ１に設けられている操作パネル６から実行することができる。例えば、ダウンロードモードを実行させるためのコマンドを３０、アップロードモードを実行させるためのコマンドを３１と設定しておく。そして、操作パネル６により３０を入力して磁気ストライプ７２が貼りつけられた帳票７１を通帳プリンタ１に挿入するとダウンロードが実行される。また、操作パネル６により３１を入力して磁気ストライプ７２が貼りつけられた帳票７１を通帳プリンタ１に挿入するとアップロードが実行される。
【００２５】
モードの選択は、以上のように操作パネル６から行う場合に限らず、調整値記憶カード７の磁気ストライプ７２を利用することもできる。つまり、磁気ストライプ７２上にダウンロードまたはアップロードを実行するためのコマンドを記憶しておき、調整値記憶カード７が通帳プリンタ１に挿入された際にそのコマンド情報を磁気リード／ライトユニット４の磁気ヘッド４１が読み出し、それをＭＰＵ３１が解釈・実行することとしてもよい。
この場合、ダウンロード用の調整値記憶カード７と、アップロード用の調整値記憶カード７とを区別しておく必要がある。つまり、ＤＡＴＡ部に当初データが記憶されていない調整値記憶カード７には、ダウンロードモード実行のためのコマンドを記憶させておく。一方、調整値、設定値に関するデータが１６進化されてＤＡＴＡ部に記憶されている調整値記憶カード７には、アップロード実行のためのコマンドを記憶させておく。
【００２６】
調整値、設定値は、工場出荷時にＮＶＲＡＭ３３にその初期値が記憶される。通帳プリンタ１は、金融機関に設置された後も調整値、設定値が初期値のまま使用され続けることもある。しかし、金融機関に設置された後に調整値、設定値が変更されることもある。したがって、調整値、設定値が初期値のままか否かによって、コントロールカード３の交換、つまり通帳プリンタ１の保守時の作業が異なってくる。
つまり、調整値、設定値が初期値のままであれば、本実施の形態でいうダウンロードは必要なく、アップロードのみを実行すればよい。また、調整値、設定値が初期値から変更されている場合には、ダウンロードを実行した後にアップロードを実行する必要がある。もっとも、調整値、設定値が初期値から変更されている場合であっても、事前に調整値記憶カード７に変更後の調整値、設定値を記憶させている場合には、コントロールカード３の交換時にはアップロードのみで足りることになる。
【００２７】
以上を考慮した通帳プリンタ１における保守方法を図６および図７に示すフローチャートに基づき説明する。
はじめに、調整値、設定値が初期値から変更されずに当初のままであるか否か判断する（図中、Ｓ１）。当初のままであれば、コントロールカード３を交換する（Ｓ２）。なお、図６および図７において、調整値および設定値の両者を代表して調整値と記している。
コントロールカード３を交換した後に、調整値記憶カードＡを通帳プリンタ１に挿入する（Ｓ３）。調整値記憶カードＡは、その磁気ストライプ７２に調整値および設定値が当初のまま記憶してあるものである。この調整値記憶カードＡは、通帳プリンタ１が工場を出荷される際に作成されたものとすることができる。
調整値記憶カードＡを通帳プリンタ１に挿入すると、通帳５と同様に搬送装置により所定の位置まで搬送した後に、磁気リード／ライトユニット４の磁気ヘッド４１が調整値、設定値を調整値記憶カードＡから読み出す（Ｓ４）。この所定の位置は通帳５の磁気ストライプ５１からのデータ読み出しまたは書き込みが行われる位置である。
読み出された調整値、設定値は、前述の通りにＭＰＵ３１によりＮＶＲＡＭ３３の所定のレジスタに記憶される（Ｓ５）。
調整値、設定値がＮＶＲＡＭ３３に記憶された後に、調整値記憶カードＡは通帳プリンタ１から排出されて（Ｓ６）、一連の保守作業は終了する。
【００２８】
Ｓ１において、調整値、設定値が初期値から変更されている場合には、変更された調整値、設定値がすでに調整値記憶カードに記憶されているか否かの確認を行う（Ｓ７）。なお、調整値、設定値が初期値から複数回変更されている場合には、全ての変更がなされた調整値、設定値が前記変更された調整値、設定値となる。
変更された調整値、設定値がすでに調整値記憶カードに記憶されている場合には、当該調整値記憶カード（これを調整値記憶カードＢという）を用いてアップロードを行うことになる。そして、その前提としてコントロールカード３を交換する（Ｓ８）。
コントロールカード３を交換した後に、調整値記憶カードＢを通帳プリンタ１に挿入する（Ｓ９）。調整値記憶カードＢは、その磁気ストライプ７２には変更後の調整値および設定値が記憶されている点で、Ｓ２〜Ｓ６の一連の作業で用いた調整値記憶カードＡと相違する。
調整値記憶カードＢを通帳プリンタ１に挿入すると、磁気リード／ライトユニット４の磁気ヘッド４１が調整値、設定値を調整値記憶カードＢから読み出す（Ｓ１０）。
読み出された調整値、設定値は、前述の通りにＭＰＵ３１によりＮＶＲＡＭ３３の所定のレジスタに記憶される（Ｓ１１）。
調整値、設定値がＮＶＲＡＭ３３に記憶された後に、調整値記憶カードＡは通帳プリンタ１から排出されて（Ｓ１２）、一連の保守作業は終了する。
【００２９】
Ｓ７において、調整値、設定値が初期値から変更されているが、変更された調整値、設定値が調整値記憶カードに記憶していないことを確認した場合には、本実施の形態でいうダウンロードを行う。
まず、通帳プリンタ１に調整値記憶カードＣを挿入する（Ｓ１３）。この調整値記憶カードＣは、そのＤＡＴＡ部に何も記憶されていない点で調整値記憶カードＡおよびＢと区別される。
調整値記憶カードＣが挿入されると、コントロールカード３のＭＰＵ３１はＮＶＲＡＭ３３から調整値、設定値を読み出す（Ｓ１４）。
読み出された調整値、設定値は、磁気リード／ライトユニット４の磁気ヘッド４１を介して、挿入された調整値記憶カードＣに書き込まれる（Ｓ１５）。調整値記憶カードＣは通帳プリンタ１に挿入したままとする。ただし、調整値記憶カードＣを一旦通帳プリンタ１から排出してもよいが、その場合には再度調整値記憶カードＣを通帳プリンタ１に挿入する必要がある。
調整値記憶カードＣに調整値、設定値が書き込まれた後に、コントロールカード３を交換して、新たなコントロールカード３を設置する（Ｓ１６）。
【００３０】
調整値記憶カードＢを通帳プリンタ１に挿入すると、磁気リード／ライトユニット４の磁気ヘッド４１が調整値、設定値を調整値記憶カードＣから読み出す（Ｓ１７）。
読み出された調整値、設定値は、前述の通りにＭＰＵ３１によりＮＶＲＡＭ３３の所定のレジスタに記憶される（Ｓ１８）。
調整値、設定値がＮＶＲＡＭ３３に記憶された後に、調整値記憶カードＣは通帳プリンタ１から排出されて（Ｓ１９）、一連の保守作業は終了する。
【００３１】
図６および図７で説明した通帳プリンタの保守作業は、コントロールカード３を交換することを前提としている。しかし、本実施の形態におけるダウンロードは、コントロールカード３の交換を伴わない保守作業時に単独で行うことができる。この保守作業を図８のフローチャートに示してある。
はじめに調整値、設定値が初期値から変更されずに当初のままであるか否か判断する（Ｓ２０）。当初のままであれば処理を終了する。
調整値、設定値が初期値から変更されていれば、変更された調整値、設定値がすでに調整値記憶カードに記憶されているか否かの判断を行う（Ｓ２１）。変更された調整値、設定値がすでに調整値記憶カードに記憶されている場合には処理を終了する。
変更された調整値、設定値が調整値記憶カードに記憶していない場合には、調整値記憶カードＣを通帳プリンタ１に挿入する（Ｓ２２）。調整値記憶カードＣが挿入されると、コントロールカード３のＭＰＵ３１はＮＶＲＡＭ３３から調整値、設定値を読み出し（Ｓ２３）、挿入された調整値記憶カードＣに読み出した調整値、設定値を書き込む（Ｓ２４）。その後調整値記憶カードＣを排出して（Ｓ２５）処理は終了する。
【００３２】
以上説明した保守作業において、調整値、設定値が初期値から変更されずに当初のままであるか否かの判断（Ｓ１）、または変更された調整値、設定値がすでに調整値記憶カードに記憶されているか否かの判断（Ｓ７）は、以下のような手法により行うことができる。
１つは保守作業記録に基づき判断する手法である。通常、保守作業を行った場合にはその保守内容を保守員が保守作業記録帳等に記載しておく。この記載事項の中に調整値、設定値が変更された場合にはその旨を含めておけば、それを参照することにより上記判断を行うことができる。また、調整値、設定値が初期値から変更された場合に、その変更後の調整値、設定値が調整値記憶カードに記憶済みであるか否かといった情報も前記記載事項に含めることとしておけばよい。そうすれば、この記載事項から調整値、設定値が初期値から変更されずに当初のままであるか否かの判断、および変更された調整値、設定値がすでに調整値記憶カードに記憶されているか否かの判断を行うことができる。
【００３３】
以上は保守員が記載する保守記録に基づく判断手法であるが、通帳プリンタ１自体に同様の機能を設けることもできる。つまり、コントロールカード３のＮＶＲＡＭ３３に調整値、設定値の変更履歴およびダウンロード履歴を記憶しておき、これら履歴情報を操作パネル６に表示させることもできる。
例えば、変更履歴を操作パネル６に表示させるコマンドを３２と設定する。さらに、調整値、設定値が初期値から変更されずに当初のままである場合の操作パネル６における表示を５１、調整値、設定値が初期値から変更されたがその値がすでに調整値記憶カード７に記憶されている場合の表示を５２、調整値、設定値が初期値から変更されたがその後調整値記憶カード７に記憶されていない場合の表示を５３と設定する。さらに、コントロールカード３のＭＰＵ３１が、コマンド３２を受けたときにＮＶＲＡＭ３３の変更履歴およびダウンロード履歴を参照して、５１〜５３のいずれかの表示を行う制御コードをＲＯＭ３２に設けておく。そうすれば、保守員がコントロールカード３の交換に先立って操作パネル６からコマンド３２を入力することにより、ＭＰＵ３１は調整値、設定値が当初のままであるか否かの判断、および変更された調整値、設定値がすでに調整値記憶カードに記憶されているか否かの判断を行い、操作パネル６にいずれであるかを表示させる。保守員はこの表示にしたがって以後の保守作業を進めることができる。また、ＭＰＵ３１は操作パネル６への表示を行うのみではなく、調整値、設定値が当初から変更されていることを判断した場合には、調整値記憶カード７に変更後の調整値、設定値を書き込むことを指示することができる。この場合、ＲＯＭ３２にはこれら指示に対応した制御コードを備えておく。
【００３４】
以上説明した調整値記憶カード７の磁気ストライプ７２は、業界標準に準拠したフォーマットとすることを前提としているが、これに限定されることはない。通帳プリンタ１をオフラインで使用して通帳プリンタ１の自己診断動作モードを設定することができるのであれば、独自のフォーマットを採用することができる。例えば、図９に示すように複数の磁気ストライプ７２を用意し、各々の磁気ストライプ７２のヘッダーとして、Ａｒｅａ ＃ｃｏｄｅを決めておき、その後のＤＡＴＡ部に調整値、設定値を記憶するようなフォーマットとすることができる。このようにすることにより、記憶できる設定値、調整値を増やすことができる。
以上の実施形態では磁気記録方式を採用した通帳プリンタに関して説明したが、本発明はすでに説明したように、通帳プリンタに限らず適用することができる。
【符号の説明】
【００３５】
１…通帳プリンタ、２…プリンタヘッド、３…コントロールカード、３１…ＭＰＵ、３２…ＲＯＭ、３３…ＮＶＲＡＭ（不揮発性メモリ）、４…磁気リード／ライトユニット、４１…磁気ヘッド、５…通帳、５１…磁気ストライプ、６…操作パネル、７…調整値記憶カード、７２…磁気ストライプ
【図１】
2011046205.tif 000003
【図２】
2011046205.tif 000004
【図３】
2011046205.tif 000005
【図４】
2011046205.tif 000006
【図５】
2011046205.tif 000007
【図６】
2011046205.tif 000008
【図７】
2011046205.tif 000009
【図８】
2011046205.tif 000010
【図９】
2011046205.tif 000011